(57)【要約】      （修正有）【課題】安全でかつ低コストにて、水素を豊富に含んだ飲料を提供する。【解決手段】水素を入れる対象物６０に針２３を刺し込み、当該針２３を通じて水素を対象物に注入するための水素注入器１であって、外部の水素供給源８１と接続されるチューブ６と、そのチューブに接続される中空針２３と、その中空針を押し出すための押圧部２と、その押圧部を第二位置から第一位置の方向に付勢する弾性部材４６と、対象物に当接する当接部材５であって中空針を出し入れ可能な貫通孔５０を備える当接部材５とを備え、押圧部を、それを押し込むと弾性部材の弾性力に抗して中空針を第一位置から第二位置へと可動とし、中空針を、当接部材の貫通孔から露出して対象物の内部に入る位置まで突出させる水素注入器、およびそれに水素供給装置８０を少なくとも備える水素注入システム７０。【選択図】図３
2014042894.tif 000002
【特許請求の範囲】
【請求項１】
水素を入れる対象物に針を刺し込み、当該針を通じて水素を上記対象物に注入するための水素注入器であって、
外部の水素供給源と接続されるチューブと、
当該チューブに接続される中空針と、
当該中空針を押し出すための押圧部と、
当該押圧部を第二位置から第一位置の方向に付勢する弾性部材と、
上記対象物に当接する当接部材であって、上記中空針を出し入れ可能な貫通孔を備える当接部材と、
を備え、
上記押圧部は、それを押し込むと、上記弾性部材の弾性力に抗して上記中空針を上記第一位置から上記第二位置へと可動であって、
上記中空針は、上記当接部材の上記貫通孔から露出して、上記対象物の内部に入る位置まで突出する水素注入器。
【請求項２】
前記当接部材は、前記対象物と接する側に、内方に窪む凹部を備え、
前記第一位置は、その凹部の底面よりも前記中空針の先端を奥に収納する位置であることを特徴とする請求項１に記載の水素注入器。
【請求項３】
前記中空針を前記押圧部に固定して備え、
前記押圧部、前記弾性部材、前記当接部材の順にそれらを直列配置して備え、
前記中空針は、前記押圧部から前記弾性部材、前記当接部材を挿通して備えられることを特徴とする請求項１または請求項２に記載の水素注入器。
【請求項４】
請求項１から請求項３のいずれか１項に記載の水素注入器と、
その水素注入器に接続される水素供給装置と、
を少なくとも備える水素注入システム。
【請求項５】
前記水素供給装置は、水電解型水素発生装置を備えることを特徴とする請求項４に記載の水素注入システム。
【請求項６】
前記水素供給装置と前記水素注入器との間を繋ぐラインから分岐して、水素貯留タンクを備えることを特徴とする請求項４または請求項５に記載の水素注入システム。
【請求項７】
前記水素貯留タンクは、シリンジにて構成され、
そのシリンジのピストンの位置に応じて、前記水素供給装置から上記シリンジへの水素の供給またはその停止を切り替えるスイッチを備えることを特徴とする請求項６に記載の水素注入システム。
【発明の詳細な説明】
【技術分野】
【０００１】
本発明は、水素注入器およびそれを備える水素注入システムに関するものである。
【背景技術】
【０００２】
従来から、活性酸素がヒトやその他の動物の老化あるいは様々な病気の要因の一つであることが知られている。ヒトも動物も酸素無しではその生命を維持できない一方で、酸素の存在下で生活する以上、食物や飲物を酸化物として体内に取り込まざるを得ない。最近では、日本を含めた先進主要国では、高齢化および飽食若しくは外食の習慣も手伝って、年々、医療費が増大する傾向にある。かかる医療費負担の増大に歯止めをかける上で、先進主要国は、病気になってから治療するのではなく、病気になる前に生活習慣を改善するといった予防医療に注力しはじめている。
【０００３】
予防医療の一種に、体内に存在する活性酸素を中和する方法があり、特に、最近では、水素を体内に摂取する方法が注目を浴びている。古くから、水素を豊富に含む水が天然に湧き出る地域はいくつか知られており、メキシコのトラコテで湧き出るトラコテの水、フランスのルルドで湧き出るルルドの水、ドイツのノルデナウで湧き出るノルデナウの水、日本の日田市で湧き出る日田天領水などは、水素を豊富に含む水の一例である。特に、メキシコのトラコテやフランスのルルドでは、その付近の住民の癌発生率が低い、長期に亘って当該地域の水を飲用すると腫瘍が小さくなったなどという報告も多数ある。
【０００４】
かかる水素を豊富に含む飲料の商品化の一例として、水素を封入した飲料をアルミパウチに封入したものが知られている。しかし、水素は非常に小さな分子であるため、製造工場から消費者が飲用するまでの期間中に、アルミパウチ内から水素が抜け、水素濃度が低下してしまうという問題がある。このため、製造工場において水素を充填した直後には高い効能を持つ飲料であっても、消費者が飲用する段階では、もはや効能の低い飲料に変わっているのが現状である。かかる問題を解決する手段として、ペットボトル等の容器内の水に粒状のマグネシウムを入れて、マグネシウムと水との反応によって水素を発生させて水素水を製造する方法（特許文献１を参照）、あるいはマグネシウムと水とを入れた飲料水入りのペットボトル（特許文献２を参照）が提案されている。
【先行技術文献】
【特許文献】
【０００５】
【特許文献１】特開２００４−０４１９４９号公報
【特許文献２】特開２００７−００１６３３号公報
【発明の概要】
【発明が解決しようとする課題】
【０００６】
しかし、マグネシウム等のアルカリ土類金属は、水と激しく反応する活性の高い金属である。このため、その取り扱いにおいては、相当の注意を要する。加えて、マグネシウムのような金属を用いることにより、水素水のコストが高くなるため、マグネシウムを用いて得られた水素水は一般消費者向けの飲料としては不向きである。
【０００７】
本発明は、かかる問題を解決するためになされたものであり、安全でかつ低コストにて、水素を豊富に含んだ飲料を提供することを目的とする。
【課題を解決するための手段】
【０００８】
上記目的を解決するための本発明の一形態は、水素を入れる対象物に針を刺し込み、その針を通じて水素を対象物に注入するための水素注入器であって、外部の水素供給源と接続されるチューブと、そのチューブに接続される中空針と、その中空針を押し出すための押圧部と、その押圧部を第二位置から第一位置の方向に付勢する弾性部材と、対象物に当接する当接部材であって中空針を出し入れ可能な貫通孔を備える当接部材と、を備え、押圧部を、それを押し込むと弾性部材の弾性力に抗して中空針を第一位置から第二位置へと可動とし、中空針を、当接部材の貫通孔から露出して対象物の内部に入る位置まで突出させる水素注入器である。
【０００９】
本発明の別の形態は、さらに、当接部材には、対象物と接する側に、内方に窪む凹部を備え、第一位置を、その凹部の底面よりも中空針の先端を奥に収納する位置とする水素注入器である。
【００１０】
本発明の別の形態は、また、中空針を押圧部に固定して備え、押圧部、弾性部材、当接部材の順にそれらを直列配置して備え、中空針を、押圧部から弾性部材、当接部材を挿通して備える水素注入器である。
【００１１】
本発明の一形態は、上述のいずれかの水素注入器と、その水素注入器に接続される水素供給装置と、を少なくとも備える水素注入システムである。
【００１２】
本発明の別の形態は、さらに、水素供給装置に水電解型水素発生装置を備える水素注入システムである。
【００１３】
本発明の別の形態は、また、水素供給装置と水素注入器との間を繋ぐラインから分岐して、水素貯留タンクを備える水素注入システムである。
【００１４】
本発明の別の形態は、また、水素貯留タンクをシリンジにて構成し、そのシリンジのピストンの位置に応じて、水素供給装置からシリンジへの水素の供給またはその停止を切り替えるスイッチを備える水素注入システム。
【発明の効果】
【００１５】
本発明によれば、安全でかつ低コストにて、水素を豊富に含んだ飲料を提供することができる。
【図面の簡単な説明】
【００１６】
【図１】図１は、本発明に係る水素注入器の好適な実施形態の側面図を示す。
【図２】図２は、図１に示す水素注入器の縦断面図を示す。
【図３】図３は、図１に示す水素注入器を対象物にセットして下方に押圧操作する状態（３Ａ）およびその一部Ａの拡大断面図（３Ｂ）をそれぞれ示す。
【図４】図４は、本発明に係る水素注入システムの好適な実施の形態の概略図を示す。
【図５】図５は、図４に示す水素注入システムの水電解型水素発生装置とポンプとの間の経路から分岐し接続される水素貯留タンクの変形例の模式図を示す。
【発明を実施するための形態】
【００１７】
次に、本発明に係る水素注入器およびそれを備える水素注入システムの各実施の形態について説明する。
【００１８】
＜１．水素注入器＞
【００１９】
図１は、本発明に係る水素注入器の好適な実施の形態の側面図を示す。図２は、図１に示す水素注入器の縦断面図を示す。以後、図１における上方を「上」、同図の下方を「下」と称する。
【００２０】
この実施の形態に係る水素注入器１は、水素を入れる対象物に針を刺し込み、その針を通じて水素を対象物に注入するための器具である。水素注入器１は、上方先端を球面とする略円柱状の押圧部２と、その押圧部２の下方部位を覆うリングカバー３と、押圧部２の下方部位を往復可動に挿入するスリーブ４と、そのスリーブ４の下端に固定されると共に、水素を入れる対象物に当接する当接部材５とを備える。  
【００２１】
図２に示すように、押圧部２は、側面に孔１０を備えると共に、その孔１０に通じる内部空間２０を備える。押圧部２は、その孔１０に、外部の水素供給源（後述する）側と接続されるチューブ６を挿入して備える。チューブ６の一端は、水素供給源側から続く別のチューブ７と接続されている。また、チューブ６の他端は、孔１０から押圧部２の内部空間２０に導入されている。チューブ６は、当該他端に接続される中空針２３と接続されている。中空針２３とチューブ６との接続部分を含め少なくとも１箇所は、好ましくは、内部空間２０の壁などに形成されるリング形状部若しくは凹部（以後、「リング形状部等２２」という）に嵌め込まれるように固定される。このため、押圧部２は、それを下方に押圧すると、それと連動して中空針２３を下方に押し出すことのできる操作部としての機能を発揮する。中空針２３は、好ましくは、その尖った先端（以後、単に、「先端」という）よりやや上方に孔２４を有するペンシルポイント針である。対象物に中空針２３を何度も刺す間に、孔が詰まる可能性があるため、その可能性を低減する必要からである。ただし、中空針２３として、ペンシルポイント針以外の針、例えば、汎用の注射針などを用いても良い。
【００２２】
押圧部２は、その下端に、それより上方に位置する押圧部２の主要部の外径より大径のフランジ部２１を備える。リングカバー３は、その上下方向に貫通する貫通孔３０と、その貫通孔３０の径より大径の空間３２を備える。リングカバー３の下方は、当該空間３２の径を維持したまま開口する。貫通孔３０の径は、押圧部２のフランジ部２１より上方の主要部の外径より大きく、かつフランジ部２１の外径より小さく形成されている。また、空間３２の径は、フランジ部２１の外径より大きく形成されている。この結果、押圧部２は、リングカバー３の貫通孔３０を上下可動であって、フランジ部２１を、押圧部２がリングカバー３の貫通孔３０から上方に抜けてしまうのを防止するストッパーとして機能させている。リングカバー３は、空間３２に接する内壁に、下方の開口側から形成されるネジ溝３１を備える。ネジ溝３１は、後述のスリーブ４と取り外し可能に接合するために形成されている。
【００２３】
スリーブ４は、リングカバー３の空間３２の径より小径の外径を有する筒状体であり、それを上下方向に貫通する貫通孔４０を備える。貫通孔４０は、押圧部２のフランジ部２１の外径より大径に形成されている。また、スリーブ４は、その上側の外壁に、リングカバー３のネジ溝３１と合う形態のネジ溝４１を備える。後述の当接部材５にスリーブ４を分離不能に固定している場合であっても、リングカバー３をスリーブ４から分離可能である。このため、押圧部２を取り外し、さらには取り外した押圧部２からチューブ６および中空針２３を取り外し、それら６，２３を交換することも容易である。
【００２４】
スリーブ４は、その貫通孔４０の径より小さな外径を有する円柱部材４５と、円柱部材４５の下方に配置される弾性部材の一例としてのスプリング４６とを、貫通孔４０内に備える。スプリング４６の外径は、貫通孔４０の径より小さい。なお、この実施の形態では、スプリング４６は、円柱部材４５の外径とほぼ同じ外径を有する１つの弾性部材である。しかし、円柱部材４５の外径よりかなり小さな外径を有する別の形態のスプリングを複数本配置しても良い。また、弾性部材は、スプリング４６以外のもの、例えば、柔軟性に優れるゴム状弾性体であっても良い。
【００２５】
円柱部材４５は、好ましくは、その底面ほぼ中央を上下方向に貫通させて中空針２３を固定する。中空針２３は、水素を入れる対象物に中空針２３を差し込むときの通常の圧力に耐えられる程度の強度にて、円柱部材４５に固定されている。さもないと、中空針２３を対象物に差し込む際に、上方に引っ込んでしまうからである。ただし、中空針２３は、円柱部材４５に必ずしも固定されていなくても良い。例えば、中空針２３を押圧部２のリング形状部等２２に強固に固定して、中空針２３が円柱部材４５の貫通孔に接触しないように上下可動にすることもできる。また、この実施の形態では、円柱部材４５は、押圧部２と別体であるが、押圧部２のフランジ部２１に固定若しくはフランジ部２１と一体となって、押圧部２の下端部を形成していても良い。そのような場合、中空針２３は、水素を入れる対象物に中空針２３を差し込むときの通常の圧力に耐えられる程度の強度にて、押圧部２に固定されることになる。
【００２６】
スプリング４６は、その環内に中空針２３を配置して、押圧部２を第二位置から第一位置の方向に付勢する。ここで、「第一位置」とは、押圧部２を押圧していない非操作状態において、中空針２３の先端が最も上方にある位置をいう。「第二位置」とは、押圧部２を押圧して中空針２３を下方に押し出した際に、その先端が最も下方にある位置をいう。
【００２７】
スリーブ４は、その下端に当接部材５を備える。したがって、水素注入器１は、押圧部２、スプリング４６、当接部材５の順にそれらを直列配置して備える。当接部材５は、水素を入れる対象物に当接する部材であって、中空針２３を出し入れ可能な貫通孔５０を備える。貫通孔５０は、中空針２３の外径よりも大径であって、中空針２３の上下方向の動きを妨げない大きさに形成されている。このように、中空針２３は、押圧部２からスプリング４６、当接部材５を挿通して備えられている。また、当接部材５は、リングカバー３と類似の形状を呈しており、水素を入れる対象物と接する側に、貫通孔５０よりも相当に大径であってかつ内方に窪む凹部５１を、当接部材５の下端に開口して備える。凹部５１は、好適には、水素を入れる対象物の口を挿入してセットすることができる形態にて構成されている。中空針２３の先端は、好ましくは、最上位の第一位置において、凹部５１の底面（すなわち、貫通孔５０の最下面）より奥（上方）に収納する位置にある。押圧部２を押圧操作していない状態において、操作者が中空針２３の先端になるべく接触しないようにするためである。ただし、かかる構成は必須の構成ではない。例えば、凹部５１の開口面が非常に小径であって操作者が指などを接触させることが困難であるような場合には、中空針２３の先端は、最上位の第一位置において、凹部５１の開口面より上方である限り、凹部５１の底面より下方に出ていても良い。
【００２８】
なお、当接部材５は、対象物に当接可能であれば、下方に開口する凹部５１を必ずしも備えていなくても良く、下方の形状を平面状あるいは突出形状としても良い。また、当接部材５は、スリーブ４と分離不能あるいは分離可能のいずれの方式で固定されていても良い。当接部材５をスリーブ４と分離可能に固定する場合、例えば、当接部材５の上方の面にネジ溝を有する環状凹部を形成し、スリーブ４の下方の外壁にネジ溝を形成し、当該ネジ溝を当接部材５の環状凹部のネジ溝に合わせて回して固定しても良い。
【００２９】
上述の形態を持つ水素注入器１を用いて対象物に水素を注入する場合、当接部材５の凹部５１を対象物の口にセットして、押圧部２を対象物に向かって、スプリング４６の弾性力に抗して下方に押し込む。その結果、中空針２３は、押圧部２の押し込みに併せて下方に移動し、元の位置（第一位置）から第二位置の方向に移動する。この動作によって、中空針２３の先端は、当接部材５の貫通孔５０から露出して、対象物の内部に入る位置まで突出する。
【００３０】
押圧部２、リングカバー３、スリーブ４、円柱部材４５および当接部材５は、如何なる材料にて成形されたものでも良く、好適には、樹脂あるいは金属から成る。スプリング４６および中空針２３は、それらの構成材料を制限されるものではないが、好適には金属から成る。また、押圧部２、リングカバー３、スリーブ４、円柱部材４５および当接部材５は、全て、平面視にて円形であるが、円形以外の形状、例えば、多角形や楕円形であっても良い。また、押圧部２の上方先端部は、押圧操作の際に操作者の手のひらにフィットしやすくするために球面形状としているが、必ずしもそれに限定されず、平面形状でも良い。
【００３１】
図３は、図１に示す水素注入器を対象物にセットして下方に押圧操作する状態（３Ａ）およびその一部Ａの拡大断面図（３Ｂ）をそれぞれ示す。
【００３２】
図３では、水素を入れる対象物として、飲料水（飲料の一例）入りのペットボトル６０を例に説明する。当該ペットボトル６０は、その上方のネック部６２にキャップ６１を着脱自在に備える。また、キャップ６１は、その上面略中央に、上下方向に貫通する貫通孔６３を有する。貫通孔６３の径は、中空針２３の外径よりかなり大径に形成されている。貫通孔６３の上には、貫通孔６３を塞ぐシール６４が貼り付けられている。水素注入器１の当接部材５の凹部５１をキャップ６１の上に当接させた状態から押圧部２を矢印Ｆの方向（下方）に押し込むと、中空針２３は、当接部材５の貫通孔５０から突出し、シール６４を貫通して、ペットボトル６０の内部に挿入する。飲料水（例えば、ミネラルウォータ）がペットボトル６０内のネック部６２の上端近傍まで充填されている場合には、中空針２３を通じて飲料水内に水素を供給できる。一方、飲料水の水位がもっと低く、ネック部６２に空間が存在する場合には、中空針２３が飲料水に届かないこともある。そのような場合には、水素はネック部６２の空間内に供給される。ただし、飲料水に直接的に水素を供給したい場合には、ペットボトル６０を傾け、あるいは逆さにして、ネック部６２の上端近傍まで飲料水を移動させた状態で、中空針２３を通じて水素を供給しても良い。
【００３３】
押圧部２を下方に押し込むと、中空針２３の先端は、第一位置から第二位置までの距離Ｌだけ移動する。これは、押圧部２のフランジ部２１も、リングカバー３の内底面から距離Ｌだけ移動することを意味する。したがって、スリーブ４の長さは、少なくとも距離Ｌよりも長いことを要する。また、スプリング４６は、少なくとも距離Ｌの収縮を可能とする弾性部材であることを要する。さらに、中空針２３が距離Ｌだけ移動した結果、当接部材５の貫通孔５０から下方に突出する必要があるため、中空針２３の第一位置は、貫通孔５０の出口から距離Ｌ以上上方にならない位置であることを要する。なお、この実施の形態では、押圧部２が下方に距離Ｌだけ移動した際に、チューブ６がリングカバー３の上面に接しないように、チューブ６を押圧部２の側面の十分に高い位置に取り付けている。ただし、チューブ６の取り付け位置は、これに限定されない。例えば、リングカバー３の側面に上下方向に貫通する溝を形成しておき、チューブ６の移動を可能にする大きさで当該溝を形成することにより、押圧部２へのチューブ６の取り付け位置に制限がないようにすることもできる。なお、ペットボトル６０は、キャップ６１の上面に貫通孔６３を塞ぐシール６４を備えるが、キャップ６１に貫通孔６３およびシール６４を必ずしも備えなくても良い。その場合、例えば、中空針２３がキャップ６１の上面板をその厚さ方向に貫通するようにしても良い。
【００３４】
＜２．水素注入システム＞
次に、本発明にかかる水素注入システムの好適な実施の形態について説明する。
【００３５】
図４は、本発明に係る水素注入システムの好適な実施の形態の概略図を示す。
【００３６】
この実施の形態にかかる水素注入システム７０は、水素注入器１と、それに接続される水素供給装置８０と、を少なくとも備える。水素供給装置８０は、好適には、水電解型水素発生装置８１を備える。水電解型水素発生装置８１は、水を電解して水素と酸素を発生することのできる装置であり、その大きさを含め、如何なる形態のものでも良い。さらには、水素供給装置８０は、水電解型水素発生装置８１以外の装置を備えていても良く、例えば、高圧で水素ガスを封入した水素ボンベを備える装置、あるいは内部に水素を吸蔵した水素貯蔵合金を備える装置であっても良い。ここでは、水素供給装置８０として、水電解型水素発生装置８１を備える装置を好適な例に挙げて説明する。
【００３７】
水素供給装置８０は、水電解型水素発生装置８１と、ポンプ８５と、バルブ９０とを直列に接続し、バルブ９０からチューブ７を介して水素注入器１側のチューブ６と接続されている。水電解型水素発生装置８１とポンプ８５とを繋ぐ配管８３の途中には、Ｔ字形状の分岐管８４が接続されている。分岐管８４は、水素貯留タンク８２に接続されている。ポンプ８５は、配管８６を介してバルブ９０に接続されている。水素貯留タンク８２は、所定量の水素を貯留しておき、水素注入器１を操作したときに迅速に水素を供給できるようにするためのタンクである。ただし、水素貯留タンク８２は、必須の構成ではなく、ペットボトル６０への水素の注入に長時間を要することを許容できる場合、あるいは水電解型水素発生装置８１から迅速に必要量の水素をペットボトル６０に注入できる場合には、備えなくても良い。バルブ９０は、手動バルブ、エアバルブ、電磁バルブ等の如何なる形式のバルブでも良い。また、水素供給装置８０は、必ずしもバルブ９０を備えていなくても良い。
【００３８】
水素注入システム７０は、例えば、次のように用いることができる。飲料水入りのペットボトル６０を陳列している店舗内に、この実施の形態に係る水素注入システム７０を配置することができる。この場合、購入者の希望に応じて、店員あるいは購入者自身が水素注入器１をペットボトル６０のキャップ６１の上に当接させ、水素供給装置８０から発生する水素を、水素注入器１を介してペットボトル６０内に注入する。購入者は、ペットボトル６０内の飲料水を飲む直前に水素の注入を実行できるので、水素を豊富に含む飲料水を体内に取り込むことができる。
【００３９】
図５は、図４に示す水素注入システムの水電解型水素発生装置とポンプとの間の経路から分岐し接続される水素貯留タンクの変形例の模式図を示す。
【００４０】
図５に示すように、図４中の分岐管８４から分岐して備える配管９１に、水素貯留タンクの一例としてのシリンジ９２が接続されている。分岐管８４を挟む両側の配管８３，８３には、それぞれ逆止弁９３，９３が接続されている。逆止弁９３は、水電解型水素発生装置８１からポンプ８５（図４を参照）の方向と逆方向に水素が流れるのを防止する機能を持つ。シリンジ９２は、ピストン９４を上下方向に往復可動に構成されており、ピストン９４の移動に応じて空間９５の大きさが変わる。ピストン９４は、その側面に、その径方向内側に窪む凹部９６を備える。一方、ピストン９４の側方には、水電解型水素発生装置８１の制御部（不図示）と配線９９を介して接続されるスイッチ９７が配置される。スイッチ９７は、ピストン９４の側面に延出するセンサ部材９８を備える。スイッチ９７は、センサ部材９８の先端部をピストン９４の凹部９６に嵌め込み可能に配置されている。シリンジ９２の空間９５から水素がポンプ８５の方向に出ていくと、ピストン９４は、下方に移動する。この結果、凹部９６とセンサ部材９８の先端部とが外れる。この結果、スイッチ９７は、配線９９を通じて水電解型水素発生装置８１からの水素の供給を行う。水電解型水素発生装置８１からシリンジ９２の空間９５内に水素が入ってくると、ピストン９４が上方向に移動して、凹部９６とセンサ部材９８の先端部とが再び嵌合する。この結果、スイッチ９７は、配線９９を通じて水電解型水素発生装置８１からの水素の供給を停止する。すなわち、スイッチ９７は、シリンジ９２のピストン９４の位置に応じて、水電解型水素発生装置８１からシリンジ９２への水素の供給またはその停止を切り替える機能を持つ。
【００４１】
図５に示すシリンジ９２とスイッチ９７とを用いると、水素注入器１の当接部材５をペットボトル６０のキャップ６１に当接させて、水素をペットボトル６０内に注入する際には、シリンジ９２内の水素を消費できるので、水電解型水素発生装置８１を逐一駆動しなくても、極めて短時間にて水素の注入が可能となる。水素の注入を完了すると、スイッチ９７は、水電解型水素発生装置８１に信号を送って水素を製造させ、再び、シリンジ９２内に所定量の水素を貯留できる。水素貯留タンク８２と同様、分岐管９４から分岐して接続されるシリンジ９２、スイッチ９７および配線は、必須の構成ではなく、ペットボトル６０への水素の注入に長時間を要することを許容できる場合、あるいは水電解型水素発生装置８１から迅速に必要量の水素をペットボトル６０に注入できる場合には、備えなくても良い。
【００４２】
なお、上記の例では、スイッチ９７は、接触型のメカニカルスイッチであるが、光学式のスイッチ等の他の検知方式のものでも良い。例えば、ピストン９４の側面に、光反射板を貼っておき、光学式のスイッチからピストン９４の側面に向けて出光し、光反射板の位置で反射した光を受光出来た場合には、水電解型水素発生装置８１に対して、水素の製造を停止するための信号を送出し、受光できない場合には、水電解型水素発生装置８１に水素を製造するための信号を送出するようにしても良い。
【００４３】
上述の実施の形態では、飲料として、飲料水を例に説明したが、水以外の飲料、例えば、茶、コーヒー、果実飲料、アルコール入り飲料などを、水素注入の対象としても良い。さらには、ペットボトル６０以外の容器、例えば、アルミパウチや金属製の缶に水素を注入しても良い。
【産業上の利用可能性】
【００４４】
本発明は、水素を豊富に含む飲料を製造するのに利用できる。
【符号の説明】
【００４５】
１    水素注入器
２    押圧部
５    当接部材
６    チューブ
２３    中空針（針）
４６    スプリング（弾性部材）
５０    貫通孔
５１    凹部
６０    ペットボトル（対象物）
７０    水素注入システム
８０    水素供給装置（水素供給源）
８１    水電解型水素発生装置
８２    水素貯留タンク
９２    シリンジ（水素貯留タンク）
９４    ピストン
９７    スイッチ
【図１】
2014042894.tif 000003
【図２】
2014042894.tif 000004
【図３】
2014042894.tif 000005
【図４】
2014042894.tif 000006
【図５】
2014042894.tif 000007